(57)【要約】【課題】電子機器の収容キャビネット内の温度制御を簡易な構成で好適に行う。【解決手段】キャビネット２内を仕切り板６によって下側の収容室２５と上側の収容室２６に区分する。収容室２５の側壁にはペルチェ電子クーラーを設ける。収容室２５には室内の温度を検出する温度センサを設ける。収容室２５には許容温度の低い側の電子機器のグループを収容し、上側の収容室２６には許容温度の高い側の電子機器のグループを収容する。下側の収容室２５内の温度が制御範囲内の温度を越えたときにペルチェ電子クーラーを駆動して収容室２５内に収容されている電子機器を冷却する。排気ファン１８の駆動によって、外気を導入口８から導入し下側の収容室２５で冷却した空気を上側の収容室２６を通して排気口９から排気することで、上側の収容室２６に収容されている電子機器を通風空気により冷却する。【選択図】図１
2007266256.tif 000002
【特許請求の範囲】
【請求項１】
キャビネット内に複数の電子機器を収容する電子機器収容装置であって、前記キャビネットの壁は断熱材が施された断熱機能を具備した壁によって構成され、キャビネットの機器収容空間は仕切り板によって区分されて許容温度の高い側の電子機器のグループが収容される上側の収容室と許容温度が低い側の電子機器のグループが収容される下側の収容室とを有し、該下側の収容室にはペルチェ電子クーラーが１つ以上設置されており、前記下側の収容室には外気の導入口が設けられ、前記上側の収容室には室内の空気を外に排出する１つ以上の排気口が設けられ、前記仕切り板には下側の収容室と上側の収容室とを連通する連通口が設けられ、前記ペルチェ電子クーラーを少なくとも下側の収容室内の温度検出情報に応じて駆動制御して少なくとも下側の収容室内の温度を予め与えられる温度範囲内の温度に制御する温度制御手段が設けられていることを特徴とする電子機器収容装置。
【請求項２】
排気口に設けられて上側の収容室内から空気を外に排出する排気ファンと、導入口に設けられて外気を下側の収容室内へ導入する吸気ファンとのいずれか一方又は両方が設けられていることを特徴とする請求項１記載の電子機器収容装置。
【発明の詳細な説明】
【技術分野】
【０００１】
本発明は、例えば、通信等の制御を行う各種の関連電子機器を纏めてキャビネット内に収容する電子機器収容装置に関するものである。
【背景技術】
【０００２】
例えば、通信等の制御を行う場合、複数の電子機器が使用されており、これらの電子機器のうちには、使用条件として許容温度の高いものや、許容温度の低いものもある。例えば、通信の制御に使用されるＶＤＳＬ装置は最高許容温度がほぼ５０℃であり、ＡＴＭスイッチは最高許容温度がほぼ４０℃である。
【０００３】
従来においては、これら許容温度の異なる複数の電子機器を混在させてキャビネットに収容しているのが一般的であった。
【発明の開示】
【発明が解決しようとする課題】
【０００４】
電子機器収容装置は室内に設置される他に、建物の屋上に設置される場合がある。このような屋外設置状態にあっては、夏期には外気温が３５℃以上となり、さらに、日射を受けてキャビネット内の温度が上昇する。その上、収容されている各電子機器が動作時に熱を放出するのでキャビネット内の温度がますます高くなり、温度上昇が電子機器の許容温度を越えると、電子機器が動作不良を起こしたり、最悪の場合は故障するに至る。
【０００５】
このような問題を防止するために、キャビネットに開口部を設けて外部の空気を導入して自然冷却したり、或いは、ファン（電動ファン）を設けて、外部の空気を強制的に導入してキャビネット内空間を冷却することも行われているが、屋上はコンクリートからの太陽の輻射熱で外気温度が高いこともあって、十分満足する冷却効果が得られないのが現状である。
【０００６】
本願発明は上記課題を解決するためになされたものであり、その目的は、キャビネット内の温度を収容される電子機器の許容温度範囲に容易に制御でき、しかも、温度制御のためのペルチェ電子クーラーを小型化、省電力化することが可能な電子機器収容装置を提供することにある。
【課題を解決するための手段】
【０００７】
上記目的を達成するために、本願発明は次のような構成をもって課題を解決する手段としている。すなわち、第１の発明は、キャビネット内に複数の電子機器を収容する電子機器収容装置であって、前記キャビネットの壁は断熱材が施された断熱機能を具備した壁によって構成され、キャビネットの機器収容空間は仕切り板によって区分されて許容温度の高い側の電子機器のグループが収容される上側の収容室と許容温度が低い側の電子機器のグループが収容される下側の収容室とを有し、該下側の収容室にはペルチェ電子クーラーが１つ以上設置されており、前記下側の収容室には外気の導入口が設けられ、前記上側の収容室には室内の空気を外に排出する１つ以上の排気口が設けられ、前記仕切り板には下側の収容室と上側の収容室とを連通する連通口が設けられ、前記ペルチェ電子クーラーを少なくとも下側の収容室内の温度検出情報に応じて駆動制御して少なくとも下側の収容室内の温度を予め与えられる温度範囲内の温度に制御する温度制御手段が設けられている構成をもって課題を解決する手段と成している。
【０００８】
さらに、第２の発明は前記第１の発明の構成を備えた上で、前記排気口に設けられて上側の収容室内から空気を外に排出する排気ファンと、前記導入口に設けられて外気を下側の収容室内へ導入する吸気ファンとのいずれか一方又は両方が設けられている構成としたことをもって課題を解決する手段と成している。
【発明の効果】
【０００９】
本発明（第１、第２の発明）において、キャビネット内を冷却する場合には、許容温度の低い側の電子機器のグループが収容されている下側の収容室がペルチェ電子クーラーによって冷却される。このように、下側の収容室をそこに収容される電子機器の許容温度範囲内の温度に冷却すればよいので、上側と下側の両方の収容室を同じ温度に冷却するよりも冷却する空間体積が小さくなるので、その分、冷却負荷が小さくなり、ペルチェ電子クーラーの小型化、省電力化が可能となる。
【００１０】
また、下側の収容室には外気の導入口が設けられ、仕切り板には連通口が設けられ、上側の収容室には排気口が設けられているので、外気とキャビネット内との空気の流通およびキャビネット内の下側と上側の両収容室間の空気の流通は効果的に行われる。そのため、下側の収容室内の冷却後の冷気は連通口を通して上側の収容室に入り込んで排気口から出るので、上側の収容室を通過する際に上側の収容室に収容されている許容温度の高い側の電子機器のグループの冷却が行われることになり、これにより、許容温度の高い側の電子機器に対しても、許容範囲内の温度に効率よく冷却できる。
【００１１】
また、第２の発明においては、吸気ファンと排気ファンとのいずれか一方又は両方が設けられているので、ペルチェ電子クーラーの駆動制御に併用してファンの駆動制御を行うことによって、キャビネット内の上側と下側の各収容室の温度制御のより緻密な制御が可能となり、室内温度制御の精度、信頼性をさらに高めることができる。
【００１２】
なお、厳冬時等に、キャビネット内の温度が温度制御範囲よりも低下したときには収容室を加熱制御する必要がある。この場合は、ペルチェ電子クーラーに通電する電流の向きを逆にすることによりペルチェ電子クーラーの吸熱側と排熱側とが反転し、冷却とは逆の動作によって収容室の加熱制御が同様にして行なわれ、キャビネット内の収容室を温度制御範囲内の温度に精度よく、高信頼性のもとで制御することができる。
【発明を実施するための最良の形態】
【００１３】
以下に、本発明の実施の形態を、図面を参照して説明する。図１には本発明に係る電子機器収容装置の一実施形態例が示されている。同図において、電子機器収容装置１はキャビネット（筐体）２を有している。このキャビネット２は四角形状を呈し、４面の側壁３と、底壁５と、頂壁４とを有している。側壁３の一面は扉と成すか、又は蓋が着脱自在に取り付けられるようにして、キャビネット２内に電子機器を収容可能な構成となしている。底壁５には適宜の位置に１つ以上の導入口８が形成される。この導入口８は外部から空気（外気）をキャビネット２内に導入する空気の流通路として機能する。
【００１４】
キャビネット２は、断熱材を施した合成樹脂によって形成することも可能であるが、図１に示す例では、アルミニウムの板材を２枚使用して壁材とし、その２枚の板材間に断熱材をサンドイッチ状に挟む形態で断熱材を施している。断熱材の材質としては、様々なものが周知であり、これらの周知の断熱材を使用すればよく、特に、特定のものに限定されない。
【００１５】
キャビネット２の内部には架台７がその底部を底壁５に固定して立設配置されている。そして、この架台７の上下の途中位置に仕切り板６が取り付けられ、キャビネット２内の空間は下側の収容室２５と上側の収容室２６とに区分されている。仕切り板６の材質は特に限定されないが、図１の例では、アルミニュームの金属板が使用されている。この仕切り板６には適宜の位置に１つ以上の連通口１０が形成される。この連通口１０は下側の収容室２５と上側の収容室２６とを連通する空気の通路として機能する。
【００１６】
本実施形態例では、通信等の制御を行う各種電子機器（制御に関連する電子機器を含む）を、便宜上、許容温度の高い側のグループと許容温度の低い側のグループに分け、下側の収容室２５は許容温度の低い側のグループの電子機器を収容する室となしており、上側の収容室２６は許容温度の高い側のグループの電子機器を収容する室となしている。下側の収容室２５には該下側の収容室２５内の温度を検出する温度センサ３１（図４参照）が設置されている。
【００１７】
下側の収容室２５の少なくとも一側壁３には図２に示されるようにペルチェ電子クーラー１３が設置されている。図１の例では３個のペルチェ電子クーラー１３が設置されているが、ペルチェ電子クーラー１３の数は１つ以上であればよい。ペルチェ電子クーラー１３の構成は周知であり、様々なタイプがあり、どのタイプを使用してもよい。ここでは、図３に一例を示す。
【００１８】
図３に示すペルチェ電子クーラー１３は、間隔を介して配置された基板１９、２０間に、Ｐ型熱電変換素子２３とＮ型熱電変換素子２４が交互に多数配置され、基板１９、２０に形成された電極２２を介してＰ型熱電変換素子２３とＮ型熱電変換素子２４とが交互に直列に接続された電気回路を形成している。この電気回路に直流通電するとペルチェ電子クーラー１３の一方側の熱送受面、例えば、基板１９が吸熱側の熱送受面（吸熱面ともいう）となり、対向する他方側の基板２０が排熱側の熱送受面（排熱面ともいう）となる。通電方向を逆にすると、吸熱と排熱側が反転（逆転）し、基板１９が排熱面となり、基板２０が吸熱面となる。なお、図３中の符号２１は基板１９、２０間の周囲を封止する密封材２１を示している。
【００１９】
この実施の形態例では、ペルチェ電子クーラー１３は、順方向の電流を通電したときに吸熱面となる基板１９を室内側にし、排熱面となる基板２０を室外側にして側壁３に取り付けられている。そして、図２に示されるように、排熱面となる基板１９には室外に突き出されたヒートシンク１４が接続（固定）され、吸熱面となる基板２０には室内に突き出したヒートシンク１５が接続（固定）されている。
【００２０】
また、ヒートシンク１４側にはヒートシンク１４の排熱を強制的に外部へ排熱する排熱ファン１７が設けられ、ヒートシンク１５側にはヒートシンク１５の冷熱を室内に強制的に導入する熱導入ファンとしての冷気ファン１６が設けられている。これらの冷気ファン１６および排熱ファン１７はモータによって回転駆動される電動ファンによって構成されている。なお、図２中、符号の１１は排熱ファン１７によって排熱される排熱空気流を外部へ導くフードを示している。
【００２１】
上側の収容室２６の少なくとも一側壁３には１つ以上（図１においては２つ）の排気口９が設けられ、この各排気口９には電動ファンによって構成される排気ファン１８が設けられている。この排気ファン１８は上側の収容室２６内の空気を吸引して外部へ排気するものであり、この排気の流れをガイドするフード１２が排気口９の形成領域に設けられている。
【００２２】
キャビネット２の適宜の位置には温度制御手段および電源が設けられており、この温度制御手段は下側の収容室２５内の温度を検出する温度センサの温度検出情報に基いて、ペルチェ電子クーラー１３と、冷気ファン１６と、排熱ファン１７と、排気ファン１８との駆動を制御して直接的に下側の収容室２５内の温度制御を行い、間接的に上側の収容室２６の温度制御をも行うものであり、その制御の一例を図４を参照して以下に説明する。
【００２３】
図４において、温度制御手段３２は、制御回路２７と、メモリ２８と、電流極性切換回路３０と、スイッチ３３とを有して構成する。電源２９は電池（バッテリ）により構成され、キャビネット２内の適宜の位置に設けられる。この電源２９はペルチェ電子クーラー１３の駆動電源として機能するほかに、冷気ファン１６、排熱ファン１７、排気ファン１８、温度制御手段３２の電源としても機能している。電源としては商用電源を使用してもよい。その場合は整流手段により交流を直流に変換して電源として使用する。より好ましくは、商用電源と電池（バッテリ）を併設し、通常は、商用電源を用いて装置駆動を行うと共に、電池への蓄電（充電）を行い、停電時等に電池を使用するようにすることが望ましい。
【００２４】
温度制御手段３２には予め温度制御のプログラムが与えられ、このプログラムに従って温度制御を行う。メモリ２８には温度制御範囲が上限温度と下限温度で与えられている。この温度制御範囲は下側の収容室２５に収容される電子機器の許容温度範囲内の範囲で与えられる。電流極性切換回路３０は制御回路２７からの極性切換指令に従って、通電の極性を反転する。
【００２５】
キャビネット２内の下側の収容室２５に許容温度が低い側の電子機器のグループが収容され、上側の収容室２６に許容温度が高い側の電子機器のグループが収容されて運転オンの状態になると、制御回路２７は温度センサ３１によって下側の収容室２５内の温度をモニタする。そして温度センサ３１の検出温度が温度制御範囲の上限温度よりも高いときには、スイッチ３３を閉じ、電流極性切換回路３０に順方向の電流通電を指示して、ペルチェ電子クーラー１３に順方向の電流を通電し、同時に、各ファン１６、１７、１８を起動する。
【００２６】
ペルチェ電子クーラー１３は下側の収容室２５内の熱をヒートシンク１５を介して吸熱し、その吸熱した熱を排熱側の熱送受面（基板２０）へ搬送し、この搬送熱はヒートシンク１４から排熱ファン１７によって外部へ排出される。このペルチェ電子クーラー１３の動作によって吸熱面側のヒートシンク１５は冷却され、このヒートシンク１５から放出される冷気は冷気ファン１６によって下側の収容室２５内に放出され、下側の収容室２５の冷却が進行する。
【００２７】
一方、排気ファン１８の駆動によって、底壁５の導入口８から外気が下側の収容室２５内に導入され、さらに、仕切り板６の連通口１０を通り、上側の収容室２６に導かれて排気口９から排気ファン１８によって外へ排気される。この通流の空気が下側の収容室２５を通るときに冷却されるので（空気の通流経路によっては一部の空気は殆ど冷却されずに上側の収容室を通って排気されるものもあり得る）、下側の収容室２５から上側の収容室２６へ冷気が導入されることで、上側の収容室２６内に収容されている電子機器も冷却される結果、上側の収容室２６に収容されている電子機器も許容温度範囲内の温度となるように間接的に温度が制御される。この冷却動作により、温度センサ３１の検出温度が制御範囲の下限温度又はそれよりも高めの設定温度まで低下したときに制御回路２７によってスイッチ３３がオフ（開成）されてペルチェ電子クーラー１３への通電が停止され、各ファン１６、１７、１８の駆動が停止される。
【００２８】
厳冬期等において、温度センサ３１の検出温度が温度制御範囲の下限温度よりも低いときには、制御回路２７は、スイッチ３３を閉じ、電流極性切換回路３０に極性切換指令を加える。そうすると、電流極性切換回路３０は電流の向きを反転するので、ペルチェ電子クーラー１３に逆方向の電流が通電し、同時に、各ファン１６、１７、１８を起動する。
【００２９】
逆方向の通電により、ペルチェ電子クーラー１３吸熱面と排熱面とが反転（逆転）するので、基板１９側が排熱側となってヒートシンク１５から放出される温度の高い熱は冷気ファン１６によって下側の収容室２５内に放出され、下側の収容室２５内の温度は上昇する。そして、吸熱面となる基板２０側のヒートシンク１４の冷気は排熱ファン１７によって外部へ排出される。
【００３０】
前記、排気ファン１８の駆動によって、底壁５の導入口８から外気が下側の収容室２５内に導入され、さらに、仕切り板６の連通口１０を通り、上側の収容室２６に導かれて排気口９から排気ファン１８によって外へ排気される。この通流の空気が下側の収容室２５を通るときに加熱されるので、下側の収容室２５から上側の収容室２６へ加熱された温度の高い空気が導入されることで、上側の収容室２６内に収容されている電子機器も加熱される結果、上側の収容室２６に収容されている電子機器も許容温度範囲内の温度となるように間接的に温度が制御される。この加熱動作により、温度センサ３１の検出温度が制御範囲の上限温度又はそれよりも低めの設定温度まで上昇したときに制御回路２７によってスイッチ３３がオフ（開成）されてペルチェ電子クーラー１３への通電が停止され、各ファン１６、１７、１８の駆動が停止される。
【００３１】
上記のように動作されて、下側の収容室２５内に収容されている電子機器はその機器の許容温度範囲内の温度に制御され、間接的に、上側の収容室２６に収容されている電子機器もその機器の許容温度範囲内の温度に制御される。
【００３２】
ところで、ペルチェ電子クーラーによるキャビネット内の温度制御は、一般に密閉型で行われるが、この場合、キャビネット内の全ての電子機器の発熱量及び外部から流入する熱量の大部分をペルチェ電子クーラーにて吸熱する事が求められる。そのため、キャビネット２内の収容室をペルチェ電子クーラー１３を用いて冷却等の温度制御を行う場合、キャビネット２内の空間を密閉状態としたばあいには、排熱負荷（吸熱負荷）が大きくなるので、必然的に大型のペルチェ電子クーラー１３が必要となり、価格も高くなり、大型となる上に電力消費も大きくなるという問題が生じる。
【００３３】
この点、本実施形態例では、キャビネット２は密閉型とせずに導入口８と排気口９を設けて外気とキャビネット２内を自由に流通可能となしている。このため、外気導入の気流による冷却効果が得られるので、ペルチェ電子クーラー１３の排熱負荷（吸熱負荷）がその分小さくなり、ペルチェ電子クーラー１３の小型化、省電力化、低コスト化が達成できる。また、ペルチェ電子クーラー１３を小型化できるので、電子機器収容装置１の軽量化が可能となる。
【００３４】
本発明は上記実施形態例の構成に限定されず、様々な実施の形態を採り得る。例えば、上記実施形態例では、上側の収容室２６には温度センサを設けていなかったが、上側の収容室２６にも温度センサを設けて、上側の収容室２６の温度をより正確に制御するように構成してもよい。この場合は、上側の収容室２６にも温度制御範囲を別に設定し、例えば、下側の収容室２５内の温度はその下側の収容室２５の温度制御範囲になっているにもかかわらず、上側の収容室２６が未だその上側の収容室２６の温度制御範囲に入っていないときには排気ファン１８の回転速度を高めたり、排気ファン１８の駆動台数を増加する等の制御形態をとって上側の収容室２６も設定の制御温度範囲内の温度に確実に入るように制御することができる。
【００３５】
また、下側の収容室２５が未だ制御範囲内の温度に達していないのにも拘らず、上側の収容室２６の温度が制御範囲内の温度に達しているときには、排気ファン１８の回転速度を弱めたり、排気ファン１８の駆動台数を減少する等の制御形態をとって上側の収容室２６の温度をその制御温度範囲内の温度に維持しながら下側の収容室２５内の温度をその制御範囲内の温度に入るように制御することができる。
【００３６】
さらに、排気口９を複数設ける場合には、全ての排気口９に排気ファン１８を設けてもよいが、複数の排気口９のうちの選択した排気口９のみに排気ファン１８を設けてもよい。また、排気ファン１８を複数設ける場合には、全ての排気ファン１８の回転数を同じように制御してもよく、各排気ファン１８或いは排気ファン１８のグループごとに異なるファン回転数となるように制御してもよい。各排気ファン１８の回転数を独立に制御した場合には、キャビネット２内の空気の流れの状況を様々に可変制御することができる。
【００３７】
さらに、上記実施形態例では導入口８にファンを設けていなかったが、各導入口８又は選択した導入口８に外気を下側の収容室２５へ強制的に導入する吸気ファンを設けてもよい。導入口８を複数設ける場合には全ての導入口８に吸気ファンを設けてもよく、選択した導入口８のみに吸気ファンを設けてもよい。複数の吸気ファンを設ける場合には、前記複数の排気ファン１８を設ける場合と同様に、全ての吸気ファンの回転数を同じに制御してもよく、各吸気ファン或いは各グループの吸気ファンごとに異なるファン回転数となるように制御してもよい。
【００３８】
また、吸気ファンを設ける場合は、排気ファン１８を設けない構成としてもよく、吸気ファンと排気ファン１８を共に設けるようにしてもよい。
【００３９】
さらに、前記排気ファン１８および前記吸気ファンを設けずに、自然対流によって外気を導入口８からキャビネット２内に導入して排気口９から排出する構成とすることも可能である。その場合には、排気ファン１８や、吸気ファンが不要となる分、装置の小形化、軽量化、低コスト化を達成することができる。
【００４０】
さらに、上記実施形態例では、上側の収容室２６にはペルチェ電子クーラー１３が設けられていなかったが、上側の収容室２６にも同様にペルチェ電子クーラー１３を設置し、上側の収容室２６も直接的にペルチェ電子クーラー１３を用いて温度制御を行う構成としてもよい。その場合には、上側の収容室２６内にその室内の温度を検出する温度センサを設けることとなる。そして、温度センサの検出温度に基く制御と上記したような排気ファン１８や、吸気ファンの駆動制御を併用してさらなる緻密な室温の制御形態をとることも可能である。
【００４１】
さらに、上記実施形態例では、ペルチェ電子クーラー１３の通電方向を正逆制御してペルチェ電子クーラー１３によって冷却と加熱の駆動を切換駆動する構成としたが、ペルチェ電子クーラー１３は冷却専用の装置としてもよい。その場合には、加熱駆動を必要とする場合には、下側の収容室２５に、又は下側の収容室２５と上側の収容室２６にヒータを設け、制御回路２７により、このヒータ駆動を制御して、室内の加熱を行うようにしてもよい。
【００４２】
さらに、上記実施形態例では室内の温度を温度センサによって検出して室内の温度を制御するようにしたが、温度センサを設けずに、室内の温度制御を行う構成としてもよい。その場合は、例えば、図４の電源２９とスイッチ３３とペルチェ電子クーラー１３の電流通電回路（電気回路）にサーモスタットを介設し、温度制御範囲の下限温度に達したときにサーモスタットの接点を閉じて通電させて、ペルチェ電子クーラー１３を動作状態にして温度制御の駆動を行わせ、温度制御範囲の上限温度に達したときにサーモスタットの接点を開いてペルチェ電子クーラー１３への通電を停止するように制御することで、室内の温度を制御範囲内の温度に制御することができる。
【００４３】
さらに、上記実施形態例では、キャビネット２内の空間を下側の収容室２５と上側の収容室２６との２室に区分したが、追加の仕切り板６によって、キャビネット２内の空間を３室以上に区分することも可能である。このときには、収容する電子機器を許容温度に応じて多くのグループに細分し、許容温度の最も低いグループの電子機器を最下段の収容室に収容し、許容温度が順次高くなるグループの電子機器を順次上側の収容室に収容するようにすればよい。このばあいは、最下段の収容室にはペルチェ電子クーラー１３を必ず設けるが、上側の各収容室には必要に応じペルチェ電子クーラー１３を設けるようにすればよい。
【００４４】
さらに、上記実施形態例では、キャビネットをアルミニューム板材によって形成したが、キャビネットの壁を金属板によって形成する場合は、アルミニューム以外の金属板によって形成してもよい。
【００４５】
さらに、図１のれいでは、キャビネット２は四角形状としたが、キャビネット２の形状は四角形状に限定されず、他の形状としてもよい。
【図面の簡単な説明】
【００４６】
【図１】本発明に係る電子冷却装置の一実施形態例を示す構成説明図である。
【図２】ペルチェ電子クーラーの設置状態の説明図である。
【図３】ペルチェ電子クーラーの一構成例の説明図である。
【図４】電子機器収容装置における温度制御手段の一例を示す図である。
【符号の説明】
【００４７】
１  電子機器収容装置
２  キャビネット
６  仕切り板
１３  ペルチェ電子クーラー
２５  下側の収容室
２６  上側の収容室
３２  温度制御手段
【図１】
2007266256.tif 000003
【図２】
2007266256.tif 000004
【図３】
2007266256.tif 000005
【図４】
2007266256.tif 000006